(57)【要約】【課題】安定したハンドオーバー機能を提供する。【解決手段】無線通信端末は、ネットワーク層において、下層から受け付ける無線接続またはその切断の通知に応じて自装置の通信ネットワーク上への接続またはその切断の処理を行う通信制御部１０と、データリンク層において、無線基地局との無線接続またはその切断の処理を行うとともに、当該無線接続またはその切断を通信制御部１０に通知する無線通信接続制御部１１と、を備え、無線通信接続制御部１１は、ハンドオーバー処理時において、無線基地局２Ａに向けて切断要求信号を送信するとともに、当該無線基地局２Ａから切断応答信号を受信した場合に、当該受信した切断応答信号の通信制御部１０への通知を留保しながら他の無線基地局２Ｂに向けて接続要求信号を送信する。【選択図】図３
2015103963.tif 000002
【特許請求の範囲】
【請求項１】
ネットワーク層において、下層から受け付ける無線接続またはその切断の通知に応じて自装置の通信ネットワーク上への接続またはその切断の処理を行う通信制御部と、
前記ネットワーク層の下層であるデータリンク層において、予め規定された無線通信方式に基づいて無線基地局との無線接続またはその切断の処理を行うとともに、当該無線接続またはその切断を前記通信制御部に通知する無線通信接続制御部と、
を備え、
前記無線通信接続制御部は、
ハンドオーバー処理時において、一の無線基地局に向けて前記無線通信方式に基づく切断要求信号を送信するとともに、当該一の無線基地局から切断応答信号を受信した場合に、当該受信した切断応答信号の前記通信制御部への通知を留保しながら他の無線基地局に向けて前記無線通信方式に基づく接続要求信号を送信する
ことを特徴する無線通信端末。
【請求項２】
前記無線通信接続制御部は、
前記接続要求信号の送信後所定時間内に前記他の無線基地局から接続応答信号を受信しなかった場合に、前記留保していた切断応答信号を前記通信制御部へ通知する
ことを特徴とする請求項１に記載の無線通信端末。
【請求項３】
前記無線通信接続制御部は、
前記無線基地局からの信号の受信レベルを取得するとともに、当該受信レベルに基づいてハンドオーバー処理を開始する
ことを特徴とする請求項１または請求項２に記載の無線通信端末。
【請求項４】
前記無線通信接続制御部は、
無線接続を介して行われるデータ通信が特定のアプリケーション処理に基づいて行われる場合にのみ、ハンドオーバー処理を行う
ことを特徴とする請求項１から請求項３の何れか一項に記載の無線通信端末。
【請求項５】
通信制御部が、ネットワーク層において、下層から受け付ける無線接続またはその切断の通知に応じて自装置の通信ネットワーク上への接続またはその切断の処理を行い、
無線通信接続制御部が、前記ネットワーク層の下層であるデータリンク層において、予め規定された無線通信方式に基づいて無線基地局との無線接続またはその切断の処理を行うとともに、当該無線接続またはその切断を前記通信制御部に通知する無線通信端末制御方法であって、
前記無線通信接続制御部は、
ハンドオーバー処理時において、一の無線基地局に向けて前記無線通信方式に基づく切断要求信号を送信するとともに、当該一の無線基地局から切断応答信号を受信した場合に、当該受信した切断応答信号の前記通信制御部への通知を留保しながら他の無線基地局に向けて前記無線通信方式に基づく接続要求信号を送信する
ことを特徴する無線通信端末制御方法。
【請求項６】
無線通信端末のコンピュータを、
ネットワーク層において、下層から受け付ける無線接続またはその切断の通知に応じて自装置の通信ネットワーク上への接続またはその切断の処理を行う通信制御手段、
前記ネットワーク層の下層であるデータリンク層において、予め規定された無線通信方式に基づいて無線基地局との無線接続またはその切断の処理を行うとともに、当該無線接続またはその切断を前記通信制御手段に通知する無線通信接続制御手段、
として機能させるプログラムであって、
前記無線通信接続制御手段は、
ハンドオーバー処理時において、一の無線基地局に向けて前記無線通信方式に基づく切断要求信号を送信するとともに、当該一の無線基地局から切断応答信号を受信した場合に、当該受信した切断応答信号の前記通信制御手段への通知を留保しながら他の無線基地局に向けて前記無線通信方式に基づく接続要求信号を送信する
ことを特徴するプログラム。
【発明の詳細な説明】
【技術分野】
【０００１】
本発明は、無線通信端末、無線通信端末制御方法及びプログラムに関する。
【背景技術】
【０００２】
企業のオフィス等において無線ＬＡＮ（Local Area Network）システムを構築する場合、各々の通信可能範囲がオフィスフロアをほぼ切れ間無くカバーするようにエリアを分けて無線基地局（アクセスポイント）が設置される。オフィス内では、ノートパソコンやスマートフォン等の無線通信端末でデータ通信が行われている状態で自席から会議テーブルへの移動などを行うケースが想定されるが、この場合、通常は最初に通信を確立した無線基地局の圏内から外れたときに切断されてしまう。一旦通信が切断された後、別の無線基地局との再接続の処理は、ソフトウェア（アプリケーション）レベルで行われるため、処理に時間がかかり、継続的なデータ通信を実現することは困難である。
【０００３】
そこで、無線通信端末をハンドオーバーに対応させることで、一の無線基地局の圏内から外れたときであっても他の無線基地局とのデータ通信を継続することで切断を回避する技術が提案されている。また、ハンドオーバーに対応する無線ＬＡＮの仕様では、無線通信端末がリアソシエーション処理を行うことでハンドオーバー機能を実現する手法が公開されている（例えば、非特許文献１参照）。
【先行技術文献】
【非特許文献】
【０００４】
【非特許文献１】IEEE STANDARDS ASSOCIATION,IEEE Standard for Information technology Telecommunications and information exchange between systems Local and metropolitan area networks Specific requirements Part 11: Wireless LAN Medium Access Control (MAC) and Physical Layer (PHY) Specifications,2012
【発明の概要】
【発明が解決しようとする課題】
【０００５】
なお、無線通信端末を上記ハンドオーバー機能に対応させる場合、当該無線通信端末に組み込まれる無線通信モジュールにおいて、リアソシエーション処理を実行するＩＣ（Integrated Circuit）チップ等の専用デバイスが実装されている必要がある。しかしながら、全ての無線通信端末に搭載される無線通信モジュールにおいてそのような専用デバイスを実装されているとは限らず、当該専用デバイスを実装していない無線通信モジュールが組み込まれた無線通信端末は、ハンドオーバーを行うことができないという問題がある。
また、リアソシエーション処理を行う専用デバイスは、実装される無線通信モジュール（無線通信端末）との相性によってはハンドオーバーの成功率が低くなる場合があり、安定したハンドオーバー機能を提供することができない。
【０００６】
そこでこの発明は、上述の問題を解決することのできる無線通信端末、無線通信端末制御方法及びプログラムを提供することを目的としている。
【課題を解決するための手段】
【０００７】
上記問題を解決するために、本発明の一態様は、ネットワーク層において、下層から受け付ける無線接続またはその切断の通知に応じて自装置の通信ネットワーク上への接続またはその切断の処理を行う通信制御部と、前記ネットワーク層の下層であるデータリンク層において、予め規定された無線通信方式に基づいて無線基地局との無線接続またはその切断の処理を行うとともに、当該無線接続またはその切断を前記通信制御部に通知する無線通信接続制御部と、を備え、前記無線通信接続制御部は、ハンドオーバー処理時において、一の無線基地局に向けて前記無線通信方式に基づく切断要求信号を送信するとともに、当該一の無線基地局から切断応答信号を受信した場合に、当該受信した切断応答信号の前記通信制御部への通知を留保しながら他の無線基地局に向けて前記無線通信方式に基づく接続要求信号を送信することを特徴する無線通信端末である。
【０００８】
また、本発明の一態様は、通信制御部が、ネットワーク層において、下層から受け付ける無線接続またはその切断の通知に応じて自装置の通信ネットワーク上への接続またはその切断の処理を行い、無線通信接続制御部が、前記ネットワーク層の下層であるデータリンク層において、予め規定された無線通信方式に基づいて無線基地局との無線接続またはその切断の処理を行うとともに、当該無線接続またはその切断を前記通信制御部に通知する無線通信端末制御方法であって、前記無線通信接続制御部は、ハンドオーバー処理時において、一の無線基地局に向けて前記無線通信方式に基づく切断要求信号を送信するとともに、当該一の無線基地局から切断応答信号を受信した場合に、当該受信した切断応答信号の前記通信制御部への通知を留保しながら他の無線基地局に向けて前記無線通信方式に基づく接続要求信号を送信することを特徴する無線通信端末制御方法である。
【０００９】
また、本発明の一態様は、無線通信端末のコンピュータを、ネットワーク層において、下層から受け付ける無線接続またはその切断の通知に応じて自装置の通信ネットワーク上への接続またはその切断の処理を行う通信制御手段、前記ネットワーク層の下層であるデータリンク層において、予め規定された無線通信方式に基づいて無線基地局との無線接続またはその切断の処理を行うとともに、当該無線接続またはその切断を前記通信制御手段に通知する無線通信接続制御手段、として機能させるプログラムであって、前記無線通信接続制御手段は、ハンドオーバー処理時において、一の無線基地局に向けて前記無線通信方式に基づく切断要求信号を送信するとともに、当該一の無線基地局から切断応答信号を受信した場合に、当該受信した切断応答信号の前記通信制御手段への通知を留保しながら他の無線基地局に向けて前記無線通信方式に基づく接続要求信号を送信することを特徴するプログラムである。
【発明の効果】
【００１０】
上述の各実施形態に係る無線通信端末、無線通信端末制御方法及びプログラムによれば、安定したハンドオーバー機能を提供することができる。
【図面の簡単な説明】
【００１１】
【図１】第１の実施形態に係る無線通信端末と基地局との関係を示す図である。
【図２】第１の実施形態に係る無線通信端末の機能構成を示す図である。
【図３】第１の実施形態に係る無線通信端末の処理フローを示す図である。
【発明を実施するための形態】
【００１２】
以下、本発明の第１の実施形態に係る無線通信端末を、図面を参照して説明する。
図１は、第１の実施形態に係る無線通信端末と無線基地局（アクセスポイント）との関係を示す図である。この図において、符号１は無線通信端末である。
無線通信端末１は、複数の無線基地局（無線基地局２Ａ、２Ｂ）により構築された無線ＬＡＮシステムの環境下において、ハンドオーバー処理を実行しながら無線基地局２Ａ及び無線基地局２Ｂとの間でデータ通信を継続する。具体的には、無線通信端末１は、最初に無線基地局２Ａの通信可能圏内に属しながら無線基地局２Ａとデータ通信を行っている。次に、無線通信端末１は、その状態のまま移動して無線基地局２Ｂの通信可能圏内に入り、無線基地局２Ａの受信信号強度が弱くなったら自動的に無線基地局２Ｂへ切り替えて接続を行う。
【００１３】
図２は、第１の実施形態に係る無線通信端末の機能構成を示す図である。
図２には、無線通信端末１におけるハンドオーバー処理に関わる機能の構成を示している。図２に示すように、無線通信端末１は、通信制御部１０、無線通信接続制御部１１、無線通信モジュール制御部１２及び無線通信モジュール１３を備えている。通信制御部１０、無線通信接続制御部１１、無線通信モジュール制御部１２は、ソフトウェアとしての態様、すなわち、無線通信端末１全体の処理を司るＣＰＵ（Central Process Unit）が所定のプログラムを読み込むことで各々の機能を発揮する態様であってよい。なお、無線通信モジュール１３は、ハードウェアで構成されている。
【００１４】
通信制御部１０は、ネットワークアドレス（ＩＰアドレス等）の取得等、データ通信におけるネットワーク層の接続・切断処理及びその接続状態を管理する機能部であって、以下に説明する各機能部の上層に位置する。ネットワーク層としての通信制御部１０は、自装置の通信ネットワーク上への接続またはその切断の処理を行うとともに当該通信ネットワークにおける通信経路選択（ルーティング）を実現するものであるから、無線ＬＡＮシステムにおける無線接続処理及びその切断処理には関与しない。具体的な無線接続・切断処理は、後述するデータリンク層以下の各機能部によって行われる。
【００１５】
通信制御部１０によるネットワーク層の接続処理は、データリンク層以下の下層において行われる所定の無線接続処理（アソシエーション処理等）の完了後に行われる。また、一般には、下層において無線接続またはその切断処理がなされると、通信制御部１０は、下層から当該無線接続またはその切断の通知（接続応答信号、切断応答信号）を受け付けてネットワーク層の接続処理または切断処理を行う。
例えば、通信制御部１０は、データリンク層（後述する無線通信接続制御部１１）から切断応答信号を受け付けると、取得したネットワークアドレスを解放してネットワーク層を切断する。また、一旦ネットワーク層が切断されると、データ通信を再開するためには、通信制御部１０が、下層から無線接続完了の通知（接続応答信号）を受け付けて、再度ネットワークアドレスを取得してネットワーク層の接続処理を行う必要がある。
【００１６】
無線通信接続制御部１１は、データ通信におけるデータリンク層の接続・切断制御、接続状態を管理する機能部である。一般にはＯＳ（Operating System）上で動作するソフトウェアで、通信制御部１０及び無線通信モジュール制御部１２との間で予め規定された無線通信方式に基づく要求信号または当該要求信号に対する応答信号のやり取りを行う。通常、無線通信接続制御部１１は、無線接続の完了または無線接続の切断を行うと、当該無線接続またはその切断を上層の通信制御部１０に通知する。
【００１７】
なお、本実施形態に係る無線通信接続制御部１１は、後述する無線通信モジュール１３が実装する受信レベルセンサを介して、無線基地局からの信号の受信レベルを取得するとともに、取得した受信レベルに応じてハンドオーバー処理を開始する。
また、本実施形態に係る無線通信接続制御部１１は、ハンドオーバー処理時において、無線基地局から、無線通信モジュール１３及び無線通信モジュール制御部１２を介して無線接続の切断の通知（切断応答信号）を受信した場合、当該切断応答信号の上層（通信制御部１０）への出力を留保しながら、より高い受信レベルが取得される他の無線基地局へ向けて接続要求信号を出力する処理を行う。
【００１８】
無線通信モジュール制御部１２は、無線通信端末１に搭載された無線通信モジュール１３を制御・操作をする機能部であり、無線通信モジュール１３のいわゆるドライバである。一般的には、ＯＳに組み込まれてその機能の一部として動作する。
【００１９】
無線通信モジュール１３は、予め規定された無線通信方式に基づいて外部機器（無線基地局）との無線通信接続を確立する機能が実装されたＬＳＩ（Large Scale Integration）やアンテナ等から構成されるハードウェアである。なお、「予め規定された無線通信方式」とは、本実施形態においてはＩＥＥＥ８０２．１１で規定される無線ＬＡＮシステムである。ただし、他の実施形態においてはＩＥＥＥ８０２．１１に限定されず、例えば、Ｂｌｕｅｔｏｏｔｈ（登録商標）やＷｉＭＡＸ（登録商標）等に規定される無線通信方式であってもよい。
また、無線通信モジュール１３は、無線基地局からの受信レベルを検知する受信レベルセンサ（図示せず）を備えている。
【００２０】
図３は、第１の実施形態に係る無線通信端末の処理フローを示す図である。
図３に示す処理フローにおいて、無線通信端末１は、まず、無線基地局２Ａとの接続が確立され、所定のデータ通信を行っている状態にある（ステップＳ０１）。このとき、通信制御部１０は、無線基地局２Ａとの接続を確立する段階において、無線通信端末１に割り振られるネットワークアドレス情報や、無線通信端末１が「接続中」であることを示す接続状態を保持している。
なお、上記データ通信中、無線通信接続制御部１１は、平行してハンドオーバー処理を開始するか否かの判定処理を実施している。具体的には、無線通信接続制御部１１は、無線通信モジュール１３に実装される受信レベルセンサを介して、無線基地局２Ａからの信号の受信レベルと、無線基地局２Ｂからの信号の受信レベルと、を取得している。
【００２１】
ここで、無線基地局２Ａからの信号の受信レベルが所定閾値以下と判定され、無線基地局２Ｂからの信号の受信レベルがそれを上回っていると判定された場合、無線通信接続制御部１１は、接続先を無線基地局２Ａから無線基地局２Ｂに切り替えるべくハンドオーバー処理を開始する（ステップＳ０２）。具体的には、無線通信接続制御部１１は、最初に、通信制御部１０にデータ通信を中断する旨の指示信号を出力する。これにより、通信制御部１０は、ステップＳ１０にて行われていたデータ通信を中断する。
また、無線通信接続制御部１１は、ハンドオーバー処理中であることを示す処理中フラグ情報を自身に記録しておく。
【００２２】
次に、ハンドオーバー処理の実行に際し、無線通信接続制御部１１は、受信レベルが下がっている接続基地局（無線基地局２Ａ）からの切断要求信号を無線通信モジュール制御部１２に出力する（ステップＳ０３）。ここで、無線通信接続制御部１１が出力する切断要求信号は、一般的な無線ＬＡＮシステムにおいて予め取り決められている通信プロトコルに従う信号であって、通常、無線通信端末１が無線ＬＡＮネットワークから切断される際に送信される。
無線通信モジュール制御部１２は、無線通信モジュール１３に接続基地局（無線基地局２Ａ）からの切断要求信号を無線通信モジュール１３に出力する（ステップＳ０４）。そして、無線通信モジュール１３は、接続基地局（無線基地局２Ａ）に対し、アンテナを介して切断要求信号を送信する（ステップＳ０５）。
【００２３】
無線基地局２Ａは、ステップＳ０５にて無線通信端末１から切断要求信号を受信すると、一般的な無線ＬＡＮシステムにおける通常の動作プロセスに従って、無線通信端末１の切断処理を実行するとともに、そのことを通知すべく切断応答信号を返信する（ステップＳ０６）。無線通信モジュール１３が受信した切断応答信号は、順次、無線通信モジュール制御部１２、無線通信接続制御部１１に入力される（ステップＳ０７、ステップＳ０８）。
【００２４】
無線通信接続制御部１１は、ハンドオーバー処理中（上記処理中フラグ情報が記録されている最中）に、無線通信モジュール制御部１２から切断応答信号を受け付けると、当該切断応答信号の通信制御部１０への出力を留保して、無線基地局２Ａからの切断通知を抑制する（ステップＳ０９）。ここで、通信制御部１０（ネットワーク層）以上の層には無線基地局２Ａとの接続が切断されたことが通知されないため、通信制御部１０は、データ通信が依然として有効と認識している。つまり、この段階では、通信制御部１０によるネットワークアドレスの解放や接続状態を変更するような具体的な切断処理は行われない。
【００２５】
無線通信接続制御部１１は、上層（通信制御部１０）への切断応答信号の出力を留保すると同時に、新たな接続対象とする無線基地局２Ｂへの接続要求信号を出力する（ステップＳ１０）。なお、当該接続要求信号も、上述した切断要求信号と同様に、一般的な無線ＬＡＮシステムにおいて取り決められている通信プロトコルに従う信号である。
【００２６】
無線通信モジュール制御部１２は、無線通信モジュール１３に接続対象基地局（無線基地局２Ｂ）への接続要求信号を無線通信モジュール１３に出力する（ステップＳ１１）。そして、無線通信モジュール１３は、接続対象基地局（無線基地局２Ｂ）に対し、アンテナを介して接続要求信号を送信する（ステップＳ１２）。
【００２７】
無線基地局２Ｂは、ステップＳ１２にて無線通信端末１から接続要求信号を受信すると、一般的な無線ＬＡＮシステムにおける通常の動作プロセスに従って、無線通信端末１との接続処理を実行するとともに、そのことを通知すべく接続応答信号を返信する（ステップＳ１３）。無線通信モジュール１３が受信した接続応答信号は、順次、無線通信モジュール制御部１２、無線通信接続制御部１１に入力される（ステップＳ１４、ステップＳ１５）。
【００２８】
無線通信接続制御部１１は、無線通信モジュール１３、無線通信モジュール制御部１２を介して、無線基地局２Ｂから接続応答信号を受け付けると、ハンドオーバー処理を完了する（ステップＳ１６）。ここで、無線通信接続制御部１１は、ステップＳ０２にて記録していた処理中フラグ情報を消去する。
【００２９】
無線通信接続制御部１１は、通信制御部１０に接続応答通知を出力する。この後、通信制御部１０は、ステップＳ１０にて行われていたデータ通信を再開する（ステップＳ１７）。
【００３０】
以上の処理によれば、無線通信端末１は、無線基地局２Ａから無線基地局２Ｂへのハンドオーバー処理をデータリンク層以下の処理のみで実現している。具体的には、無線通信接続制御部１１は、一の無線基地局（無線基地局２Ａ）との切断を上層の通信制御部１０に通知しないまま、他の無線基地局（無線基地局２Ｂ）との接続処理を実施している（ステップＳ０９参照）。そうすると、ネットワーク層における通信制御部１０は、無線基地局２Ａから切断され、かつ、無線基地局２Ｂへ再接続されたという事実を認識しないため、無線通信端末１のネットワークアドレス情報及び接続中の状態が維持される。
ここで、ハンドオーバー機能に対応しない通常の無線通信端末の場合、例えば接続中の無線基地局２Ａにおいて無線接続の切断処理が行われると、無線通信接続制御部１１は、当該切断を示す切断応答信号を上層の通信制御部１０に出力し、ネットワーク層においても切断処理（ネットワークアドレスの解放等）を実施させる。そうすると、当該無線通信端末は、ネットワーク層以上からの接続処理を再度開始する必要があり時間を要する。これに対し、本実施形態に係る無線通信端末１では、ネットワーク層における切断・再接続処理（ネットワークアドレスの解放、再取得等の処理）が実施されないため、ハンドオーバー処理が高速に行われる。
【００３１】
また、本実施形態に係る無線通信端末１は、従来、専用デバイス（ハードウェア）により実現されていたハンドオーバー機能（リアソシエーション処理）を用いずに、ソフトウェア制御のみで実現している。したがって、無線通信端末１は、無線通信モジュール１３のハードウェア上の仕様（リアソシエーション機能が搭載されているか否か）によらず、ハンドオーバー処理を行うことができる。
また、リアソシエーション処理が専用デバイスにより実現される場合、リアソシエーション処理の開始条件（受信レベル閾値）等は、当該専用デバイスにおいて予め規定されており、通常これを変更することはできない。そうすると、その実装状態が受信レベルの検知に影響を与える等して、ハンドオーバー処理が正常に機能しない場合があった。つまり、当該専用デバイスとこれを実装する無線通信端末との相性の問題があった。
しかし、本実施形態に係る無線通信端末１は、ハンドオーバー処理をソフトウェア制御で行うため、例えば、実装後においても受信レベルの検知状態に応じてハンドオーバー開始条件（受信レベル閾値）を容易に変更、最適化することができる。したがって、ハンドオーバー処理の安定化を図ることができる。
【００３２】
さらに、本実施形態に係る無線通信端末１は、ハンドオーバー処理を、無線ＬＡＮシステムにおいて通常使用される要求信号または応答信号の送受により実現している。すなわち、既存の通信形態を利用することで、ソフトウェア制御によるハンドオーバー処理を容易かつ安価に実現することができる。
【００３３】
以上、本実施形態に係る無線通信端末１によれば、リアソシエーション機能に対応した専用のハードウェアの有無によらず、安定したハンドオーバー機能を容易かつ安価に提供することができる。
【００３４】
なお、上述した無線通信端末１は、さらに以下のような機能を有していてもよい。
例えば、無線通信接続制御部１１は、ハンドオーバー処理中ステップＳ０９（図３）において、無線基地局２Ａからの切断応答信号を留保するにあたり、当該留保に制限時間を設けてもよい。具体的には、無線通信接続制御部１１は、ステップＳ１０の接続応答信号を送信後の経過時間を計時して、送信後所定時間内（例えば５秒以内）に無線基地局２Ｂから接続応答信号を受信しなかった場合に、留保していた切断応答信号を通信制御部１０に出力してもよい。
このようにすることで、ハンドオーバー処理において何らかの要因により次の接続先（無線基地局２Ｂ）との無線接続処理を実施できなかった場合に、通信制御部１０に、無線接続が切断されていることを確実に通知することができる。
【００３５】
また、無線通信端末１は、無線接続を介して行われるデータ通信が特定のアプリケーション処理に基づいて行われる場合にのみ、ハンドオーバー処理を行うようにしてもよい。具体的には、無線通信端末１は、特定のアプリケーション処理として、例えば、ＶｏＩＰ（Voice over Internet Protocol）による通話中や動画の再生中等、時系列で連続したデータ通信が行われている場合にのみハンドオーバー処理を行う。この場合、無線通信端末１は、データ通信の通信方式を判定する判定部を備えるとともに、当該判定部が、所定の通信方式により連続したデータ通信が行われていると判定した場合に、無線通信接続制御部１１がハンドオーバー処理を実行する。これにより、無線通信端末１は、通話中や動画再生中等、ハンドオーバーを必要とする処理中においてのみ適切にハンドオーバー処理を実行する。このようにすることで、無線通信端末１におけるハンドオーバー処理の実施を必要最小限に抑制し、ソフトウェア制御としての負荷を軽減することができる。
【００３６】
なお、上述の無線通信端末１は、内部に、コンピュータシステムを有している。そして、上述した無線通信端末１における各処理の過程は、プログラムの形式でコンピュータ読み取り可能な記録媒体に記憶されており、このプログラムをコンピュータが読み出して実行することによって、上記処理が行われる。ここで、コンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしてもよい。
【００３７】
以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で種々の省略、置き換え、変更を行うことができる。これら実施形態やその変形は、発明の範囲や要旨に含まれると同様に、特許請求の範囲に記載された発明とその均等の範囲に含まれるものとする。
【符号の説明】
【００３８】
１・・・無線通信端末
１０・・・通信制御部
１１・・・無線通信接続制御部
１２・・・無線通信モジュール制御部
１３・・・無線通信モジュール
２Ａ、２Ｂ・・・無線基地局
【図１】
2015103963.tif 000003
【図２】
2015103963.tif 000004
【図３】
2015103963.tif 000005